(57)【要約】  本発明は、デジタルプリンティングマシン用印刷用紙の移送装置に関するものであって、本体の一方の側に回転可能に備えられて印刷用紙を前記本体に供給する給紙ローラーと、本体の一方の側に回転可能に備えられて印刷した後に本体から移送される前記印刷用紙を巻く排紙ローラーと、この本体に備えられて給紙ローラーと排紙ローラーに巻かれた印刷用紙の一方の側又は両側の端に直進性を有する光を照射して印刷用紙の初期位置を設定して案内するための初期位置設定部と、を備える。本発明は、従来技術とは異なり、給紙ローラーと排紙ローラーとを本体の一方の側に回転可能に備えて本体の他方の側空間を確保し、給紙ローラーと排紙ローラーとにレーザービームを照射して給紙ローラーと排紙ローラーとに巻かれる印刷用紙の初期位置を肉眼で簡単に設定し得る。【選択図】図１
2017535464.tif 000002
【特許請求の範囲】
【請求項１】
本体の一方の側に回転可能に備えられ、印刷用紙を前記本体に供給する給紙ローラーと、
前記本体の一方の側に回転可能に備えられ、印刷した後に前記本体から移送される前記印刷用紙を巻く排紙ローラーと、
前記本体に備えられ、前記給紙ローラーと前記排紙ローラーとに巻かれた前記印刷用紙の一方の側又は両側の端に直進性を有する光を照射して前記印刷用紙の初期位置を設定して案内するための初期位置設定部と、を備える、
デジタルプリンティングマシン用印刷用紙の移送装置。
【請求項２】
前記初期位置設定部は、
前記給紙ローラーと前記排紙ローラーとの一方の側又は両側の端に対応するように位置して光を直進照射する光照射部材と、
前記光照射部材から光が断続的に照射されるように作動する光照射誘導エンジン部と、を備える、
請求項１に記載のデジタルプリンティングマシン用印刷用紙の移送装置。
【請求項３】
前記光照射部材と前記光照射誘導エンジン部とは、印刷用ヘッドユニットに備えられる、
請求項２に記載のデジタルプリンティングマシン用印刷用紙の移送装置。
【請求項４】
前記初期位置設定部は、前記給紙ローラーの軸方向に沿って前記光照射部材の位置を移動させるための位置移動部材をさらに備える、
請求項２に記載のデジタルプリンティングマシン用印刷用紙の移送装置。
【請求項５】
前記位置移動部材は、
前記本体に前記給紙ローラーと並んで配置される固定レール部材と、
前記固定レール部材に沿って往復移動可能に備えられ、前記光照射部材と前記光照射誘導エンジン部とを連結して支持する移動レール部材と、を備える、
請求項４に記載のデジタルプリンティングマシン用印刷用紙の移送装置。
【請求項６】
前記本体は、一方の側にフレームを備え、
前記給紙ローラーと前記排紙ローラーとは、前記フレームに回転可能に備えられる、
請求項１に記載のデジタルプリンティングマシン用印刷用紙の移送装置。
【請求項７】
前記フレームは、ブラケットによって前記本体に分離可能に位置が固定されるように結束される、
請求項６に記載のデジタルプリンティングマシン用印刷用紙の移送装置。
【発明の詳細な説明】
【技術分野】
【０００１】
本発明は、デジタルプリンティングマシン用印刷用紙の移送装置に関する。より具体的には、給紙ローラーと排紙ローラーとを本体の同じ一方の側に回転可能に備えて本体の他方の側空間を確保し、給紙ローラーと排紙ローラーとにレーザービームを照射して給紙ローラーと排紙ローラーとに巻かれる印刷用紙の初期位置を肉眼で簡単に設定しようとするデジタルプリンティングマシン用印刷用紙の移送装置に関する。
【背景技術】
【０００２】
一般的に、デジタルプリンティングマシンは、コンピューターから作図したデータを印刷用紙に出力することにより、図面の精密さと鮮やかさを極大化し得る装備であって、特に、インクジェットデジタルプリンティングマシンは、ヘッドの噴射インクによって保存されたデータを印刷用紙に出力する装備である。
【０００３】
デジタルプリンティングマシンは、必要な動力を発生・伝達させる動力装置と、このような動力装置によって動力の伝達を受けて回転するプラテンローラーと、プラテンローラーに動力装置の動力を伝達するために相互連結するタイミングベルトと、プラテンローラーの上部からプラテンローラーと一定距離で離隔して並んで設置されている一対のガイドバーと、プラテンローラーと密着して連動する圧入ローラーと、ガイドバーに設置されてプラテンローラーの上部で横に連動しながら入力されたデータを印刷用紙に出力するヘッドと、ヘッドにインクを提供するインクタンクと、を含んで構成される。
【０００４】
特に、デジタルプリンティングマシンのプラテンに連続供給される印刷用紙は、その大きさと幅によって一枚ずつ供給して印刷し得るが、大型の印刷物である場合には、印刷用紙を所定の長さに巻取して給紙ローラーに装着することにより、ベースに連続供給させる構成が一般的である。
【０００５】
前述の技術構成は、本発明の理解を助けるための背景技術であって、本発明が属する技術分野で広く知られた従来技術を意味するものではない。
【０００６】
印刷用紙の整列については、特許文献１（発明の名称：デジタルプリンティングマシン用メディアの直線整列の補正装置）に提案されている。
【先行技術文献】
【特許文献】
【０００７】
【特許文献１】韓国登録特許第１０−０３４０９９２号公報
【発明の概要】
【発明が解決しようとする課題】
【０００８】
従来のデジタルプリンティングマシンは、本体の一方の側に給紙ローラーが位置し、他方の側に排紙ローラーが位置することによって、給紙ローラーと排紙ローラーとに巻かれる印刷用紙の位置整列が難しいという問題点がある。
【０００９】
したがって、これを改善する必要性が要求される。
【００１０】
本発明の目的は、前記のような問題点を改善するために案出されたものであって、給紙ローラーと排紙ローラーとを本体の同じ一方の側に回転可能に備えて本体の他方の側空間を確保することにより、印刷作業の設定を容易にしようとする、デジタルプリンティングマシン用印刷用紙の移送装置を提供することである。
【００１１】
そして、本発明の目的は、給紙ローラーと排紙ローラーとにレーザービームを照射して給紙ローラーと排紙ローラーとに巻かれる印刷用紙の初期位置を肉眼で簡単に設定しようとする、デジタルプリンティングマシン用印刷用紙の移送装置を提供することである。
【課題を解決するための手段】
【００１２】
本発明によるデジタルプリンティングマシン用印刷用紙の移送装置は、本体の一方の側に回転可能に備えられて印刷用紙を前記本体に供給する給紙ローラーと、前記本体の一方の側に回転可能に備えられて印刷した後に前記本体から移送される前記印刷用紙を巻く排紙ローラーと、前記本体に備えられて前記給紙ローラーと前記排紙ローラーに巻かれた前記印刷用紙の一方の側又は両側の端に直進性を有する光を照射して前記印刷用紙の初期位置を設定して案内するための初期位置設定部と、を備える。
【００１３】
前記初期位置設定部は、前記給紙ローラーと前記排紙ローラーとの一方の側又は両側の端に対応するように位置して光を直進照射する光照射部材と、前記光照射部材から光が断続的に照射されるように作動する光照射誘導エンジン部と、を備える。
【００１４】
前記光照射部材と前記光照射誘導エンジン部とは、印刷用ヘッドユニットに備えられ得る。
【００１５】
前記初期位置設定部は、前記給紙ローラーの軸方向に沿って前記光照射部材の位置を移動させるための位置移動部材をさらに備える。
【００１６】
前記位置移動部材は、前記本体に前記給紙ローラーと並んで配置される固定レール部材と、前記固定レール部材に沿って往復移動可能に備えられ、前記光照射部材と前記光照射誘導エンジン部を連結して支持する移動レール部材と、を備える。
【００１７】
前記本体は、一方の側にフレームを備え、前記給紙ローラーと前記排紙ローラーとは、前記フレームに回転可能に備えられ得る。
【００１８】
前記フレームは、ブラケットによって前記本体に分離可能に位置が固定されるように結束され得る。
【発明の効果】
【００１９】
以上で説明したように、本発明によるデジタルプリンティングマシン用印刷用紙の移送装置は、従来技術とは異なり、給紙ローラーと排紙ローラーとを本体の同じ一方の側に回転可能に備えて本体の他方の側空間を確保することにより、印刷作業の設定を容易にし得る。
【００２０】
そして、本発明は、給紙ローラーと排紙ローラーとにレーザービームを照射して給紙ローラーと排紙ローラーとに巻かれる印刷用紙の初期位置を肉眼で簡単に設定し得る。
【図面の簡単な説明】
【００２１】
【図１】本発明の一実施例によるデジタルプリンティングマシン用印刷用紙の移送装置の背面図である。
【図２】本発明の一実施例によるデジタルプリンティングマシン用印刷用紙の移送装置の側断面図である。
【図３】本発明の一実施例によるデジタルプリンティングマシンの位置移動部材の構成図である。
【発明を実施するための形態】
【００２２】
以下、添付された図面を参照して本発明によるデジタルプリンティングマシン用印刷用紙の移送装置の実施例を説明する。この過程で、図面に図示された線の太さや構成要素の大きさなどは、説明の明瞭性と便宜上誇張して図示され得る。また、後述される用語は、本発明での機能を考慮して定義された用語であって、これは使用者、運用者の意図又は慣例によって変わり得る。したがって、これらの用語についての定義は、本明細書の全般にわたる内容に基づいてなされるべきである。
【００２３】
図１は、本発明の一実施例によるデジタルプリンティングマシン用印刷用紙の移送装置の背面図であり、図２は、本発明の一実施例によるデジタルプリンティングマシン用印刷用紙の移送装置の側断面図であり、図３は、本発明の一実施例によるデジタルプリンティングマシンの位置移動部材の構成図である。
【００２４】
図１ないし図３を参照すると、本発明の一実施例によるデジタルプリンティングマシン用印刷用紙の移送装置は、給紙ローラー２０、排紙ローラー３０、移送ローラー４０、テンションローラー５０及び同時回転駆動部４００を含む。
【００２５】
給紙ローラー２０は、印刷用紙２を巻いている状態で、印刷のために本体１０に供給する役割をし、排紙ローラー３０は、本体１０の内側で印刷された後、排出される印刷用紙２を巻く役割をする。
【００２６】
特に、本体１０は、同じ一方の側に給紙ローラー２０と排紙ローラー３０とを備える。これにより、本体１０の他方の側には、作業者が印刷設定作業などを行うための空間が確保され得るようになる。さらに、作業者は、本体１０の一方の側で印刷用紙２の給紙と排紙のための作業を行うことができて作業性が向上し得る。もちろん、本体１０は、様々な形状に変形が可能である。
【００２７】
また、移送ローラー４０は、本体１０に印刷用紙２の移送方向に沿って並ぶように複数個備えられて、移送される印刷用紙２を支持する役割をする。特に、移送ローラー４０は、印刷用紙２の移送方向にプラテン１２の両側にそれぞれ備えられる。そのため、プラテン１２の一方の側に回転可能に備えられる移送ローラー４０は、印刷用紙２の安定的な給紙を案内し、プラテン１２の他方の側に回転可能に備えられる移送ローラー４０は、印刷用紙２の安定的な排紙を案内する。もちろん、移送ローラー４０の直径は、限定されない。
【００２８】
そして、テンションローラー５０は、移送ローラー４０側から排紙側に移送される印刷用紙２に張力を付与するように移送ローラー４０と並んで本体１０に回転可能に備えられる。このとき、テンションローラー５０は、一つ以上備えられることができ、直径において限定されない。
【００２９】
一方、移送ローラー４０とテンションローラー５０は、同じ回転速度で回転することにより、印刷用紙２の移送速度が同一に安定的に移送されるようにして印刷用紙２の移送速度を従来比増加させ、移送不良を防止することによって印刷不良を低減させ得る。
【００３０】
したがって、同時回転駆動部４００が備えられる。同時回転駆動部４００は、移送ローラー４０とテンションローラー５０とに同時に動力を伝達して移送ローラー４０とテンションローラー５０とを同一の回転速度で強制的に回転させる役割をする。
【００３１】
同時回転駆動部４００は、拘束連結部材４１０及び動力伝達部材４２０を含む。
【００３２】
拘束連結部材４１０は、移送ローラー４０とテンションローラー５０とが同時に回転するように拘束する役割をする。ここで、拘束連結部材４１０は、チェーン又はベルトとして適用可能である。そして、拘束連結部材４１０は、移送ローラー４０とテンションローラー５０とに巻かれることになる。
【００３３】
さらに、動力伝達部材４２０は、移送ローラー４０とテンションローラー５０とのいずれかに回転力を伝達する役割をする。ここで、動力伝達部材４２０は、駆動モーターとして適用し得、便宜上、テンションローラー５０に回転力を伝達することにする。
【００３４】
これにより、動力伝達部材４２０がテンションローラー５０を回転させると、移送ローラー４０は、テンションローラー５０に連動してテンションローラー５０と同じ回転速度で回転することになる。その結果、印刷用紙２は、移送ローラー４０とテンションローラー５０とにおいてスリップ（Ｓｌｉｐ）が発生しないことになる。
【００３５】
一方、本体１０は、移送される印刷用紙２を反復的に伸ばすために移送ローラー４０と並んでいるピンチローラー５００を備える。ピンチローラー５００は、移送ローラー４０又はテンションローラー５０に巻かれながら移送される印刷用紙２を幅全体にわたって反復的に接しながら伸ばすことにより、印刷用紙２の移送不良を防止する。便宜上、ピンチローラー５００は、テンションローラー５０に巻かれて移送される印刷用紙２を伸ばす役割をする。
【００３６】
さらに、ピンチローラー５００は、作動部６００によってテンションローラー５０に沿って移送される印刷用紙２に反復的に接することになる。
【００３７】
作動部６００は、ピボット部材６１０、クランクアーム６２０及びシリンダー部材６３０を含む。
【００３８】
ピボット部材６１０は、本体１０に回転可能に備えられる。特に、ピボット部材６１０は、移送ローラー４０と並んで配置される棒状で適用し得る。そのため、ピボット部材６１０は、両側が本体１０に回転可能に連結される。もちろん、ピボット部材６１０は、様々に形成され得る。
【００３９】
さらに、クランクアーム６２０は、ピボット部材６１０に一方の側が連結され、他方の側がピンチローラー５００に回転可能に連結される。特に、クランクアーム６２０は、ピボット部材６１０に一方の側が固定されるように連結される。そのため、クランクアーム６２０が回動されると、ピボット部材６１０は、円周方向に回転される。このとき、クランクアーム６２０は、様々に形成され得るが、バー（Ｂａｒ）形状として図示される。
【００４０】
クランクアーム６２０は、ピボット部材６１０の一方の側の端又は両側の端にそれぞれ備えられる。
【００４１】
また、シリンダー部材６３０は、本体１０に回動可能に備えられ、クランクアーム６２０を往復移動させながら、ピンチローラー５００がテンションローラー５０に接した印刷用紙２を伸ばし得るように作動する。
【００４２】
すなわち、シリンダー部材６３０がクランクアーム６２０を押し引きし、クランクアーム６２０は、ピボット部材６１０を基準に弧状の軌跡に沿って往復移動しながら、ピンチローラー５００をテンションローラー５０に巻かれた印刷用紙２に反復的に接するようにする。
【００４３】
一方、本体１０は、印刷後に移送される印刷用紙２を乾燥させるために、ヒーティング部材７００をさらに備え得る。そのため、印刷用紙２に塗布された印刷液は、短時間に乾燥されることにより、印刷液がにじむ印刷不良を防止し得る。
【００４４】
ここで、熱気を発散する様々な機器がヒーティング部材７００として適用可能である。
【００４５】
また、初期位置設定部１００は、本体１０に備えられて給紙ローラー２０と排紙ローラー３０に巻かれた印刷用紙２の一方の側又は両側の端に直進性を有する光を照射して、印刷用紙２の初期位置を設定して案内するために備えられる。
【００４６】
すなわち、初期位置設定部１００は、レーザービームを本体１０の同じ一方の側に配置される給紙ローラー２０と排紙ローラー３０とに照射して印刷用紙２が巻かれる位置を容易に設定するようにする役割をする。
【００４７】
このとき、初期位置設定部１００は、光照射部材１１０及び光照射誘導エンジン部１２０を含む。
【００４８】
光照射部材１１０は、給紙ローラー２０と排紙ローラー３０の一方の側又は両側の端に対応するように本体１０に連結されて光を直進照射する役割をする。光照射部材１１０は、レーザービームを照射するノズルであり得る。便宜上、光照射部材１１０は、給紙ローラー２０と排紙ローラー３０との一方の側に光を照射するものとする。
【００４９】
また、光照射誘導エンジン部１２０は、光照射部材１１０から光が断続的に照射されるように作動する。すなわち、光照射誘導エンジン部１２０は、光照射部材１１０を通じて光が照射されるようにするエンジン駆動部である。
【００５０】
このとき、光照射部材１１０と光照射誘導エンジン部１２０とは、本体１０に様々に組み立てされ得るが、印刷用ヘッドユニット１５に備えられ得る。これは、光照射部材１１０と光照射誘導エンジン部１２０とがヘッドユニット１５に組み立てされて固定されることにより、光照射部材１１０と光照射誘導エンジン部１２０とを設置するために別のブラケットを必要としないようにするためである。
【００５１】
さらに、初期位置設定部１００は、給紙ローラー２０の軸方向に沿って光照射部材１１０の位置を移動させるための位置移動部材１３０をさらに含む。すなわち、位置移動部材１３０は、給紙ローラー２０と排紙ローラー３０とに巻かれる印刷用紙２の幅によって光照射部材１１０の位置を移動案内する役割をする。
【００５２】
位置移動部材１３０は、固定レール部材１３２及び移動レール部材１３４を含む。
【００５３】
固定レール部材１３２は、本体１０に給紙ローラー２０と並んで配置される。そして、移動レール部材１３４は、電気力などの駆動源によって固定レール部材１３２に沿って往復移動可能に備えられる。
【００５４】
そして、移動レール部材１３４は、光照射部材１１０と光照射誘導エンジン部１２０とを連結して支持する。特に、光照射部材１１０と光照射誘導エンジン部１２０とがヘッドユニット１５に装着され、ヘッドユニット１５が移動レール部材１３４に固定設置され得る。
【００５５】
また、給紙ローラー２０と排紙ローラー３０とは、本体１０に直接的に回転可能に連結され得るが、設置及び維持補修の容易性のために本体１０から分離可能に設置され得る。
【００５６】
すなわち、本体１０は、一方の側にフレーム２００を備え、給紙ローラー２０と排紙ローラー３０とは、フレーム２００に回転可能に備えられる。
【００５７】
このとき、フレーム２００は、様々な形状に変形が可能であり、給紙ローラー２０と排紙ローラー３０とは、フレーム２００に様々に配置され得る。
【００５８】
さらに、フレーム２００は、ブラケット３００によって本体１０に分離可能に位置が固定されるように結束され得る。
【００５９】
すなわち、ブラケット３００は、一方の側が本体１０に分離可能に結束され、他方の側がフレーム２００に分離可能に結合される。ブラケット３００は、ボルト締めなどの様々な方式で本体１０とフレーム２００に分離可能に結合される。もちろん、ブラケット３００は、様々に形成され得る。
【００６０】
一方、給紙ローラー２０と排紙ローラー３０とは、フレーム２００に回転可能に設置されたまま、すべて駆動源（図示せず）に連結されてそれぞれ同一速度で強制的に回転される。そのため、印刷用紙２は、安定的に速い速度で移送され得ることになる。
【００６１】
本発明は、図面に図示された実施例を参照して説明されたが、これは例示的なものに過ぎず、当該技術が属する分野で通常の知識を有する者であれば、今後様々な変形及び均等な他の実施例が可能であるという点を理解すべきである。したがって、本発明の真正な技術的保護範囲は、以下の特許請求の範囲によって定められるべきである。
【図１】
2017535464.tif 000003
【図２】
2017535464.tif 000004
【図３】
2017535464.tif 000005
【国際調査報告】
2017535464.tif 000006
2017535464.tif 000007
2017535464.tif 000008
2017535464.tif 000009